(57)【要約】【課題】天板の表面に操作部又は表示部の少なくともいずれかを備えるあたり、より手前側に配置することができるとともに、天板の設置作業が容易なビルトインコンロを提供する。【解決手段】天板１２の表面に、タッチパネル１４が備えられ、天板１２の裏面に、タッチパネル１４に入力された操作に対応する操作信号をコンロ本体１１に備えられた制御回路部２７に中継するとともに、タッチパネル１４への表示に対応する表示信号を制御回路部２７から中継するプリント基板２４が備えられ、プリント基板２４に天板側コネクタ２６ａが備えられ、制御回路部２７に本体側コネクタ２６ｂが備えられ、天板側コネクタ２６ａ及び本体側コネクタ２６ｂは、天板１２をコンロ本体１１上に設置することによって接続されるように構成されている。【選択図】図３
2018169086.tif 000002
【特許請求の範囲】
【請求項１】
キャビネットの天面に設けられた開口部に設置されるコンロ本体と、前記開口部を覆うように前記コンロ本体上に設置される天板とから構成されるビルトインコンロであって、
前記天板の表面に、操作部又は表示部の少なくともいずれかが備えられ、
前記天板の裏面に、少なくとも、前記操作部に入力された操作に対応する操作信号を前記コンロ本体に備えられた制御回路部に中継する、又は、前記表示部への表示に対応する表示信号を前記コンロ本体に備えられた制御回路部から中継する中継基板が備えられ、
前記中継基板に天板側コネクタが備えられ、前記制御回路部に本体側コネクタが備えられ、
前記天板側コネクタ及び前記本体側コネクタは、前記天板を前記コンロ本体上に設置することによって接続されるように構成されていること特徴とするビルトインコンロ。
【請求項２】
前記操作部は、前記天板の裏面に配置されるとともに前記中継基板に電気的に接続された導電膜を備えている請求項１に記載のビルトインコンロ。
【請求項３】
前記天板は、少なくとも前記導電膜が配置されている部分が光透過性を有し、
前記導電膜は、光透過性の部分と非光透過性の部分によって、操作に対応する記号を模すように構成され、
前記導電膜の下方に、前記中継基板に電気的に接続された発光部が配置され、
前記表示部は、前記発光部が発光したときに、前記導電膜及び前記天板のうち光透過性の部分を透過する光によって、前記操作に対応する記号を表示可能に構成されている請求項２に記載のビルトインコンロ。
【請求項４】
前記天板側コネクタ及び前記本体側コネクタは、いずれか一方が固定的に備えられた被接触端子であり、いずれか他方が前記被接触端子に向けて弾性的に付勢された接触端子である請求項１から３のいずれか一項に記載のビルトインコンロ。
【発明の詳細な説明】
【技術分野】
【０００１】
本発明は、キャビネットの天面に設けられた開口部に設置されるコンロ本体と、前記開口部を覆うように前記コンロ本体上に設置される天板とから構成されるビルトインコンロに関する。
【背景技術】
【０００２】
ビルトインコンロは、システムキッチン等のキャビネットの天面に設けられた開口部に設置されるコンロ本体と、開口部を覆うように前記コンロ本体上に設置される天板とから構成され、天板上に調理器具を加熱するためのガスコンロ、電気コンロ、ＩＨ（induction heating）調理器等の少なくともいずれかの調理用加熱器を備え、コンロ本体の前面中央にグリルを備え、その左右に該ビルトインコンロの操作部が備えられている。
【０００３】
このようなビルトインコンロにおいては、調理者は操作部の操作をするにあたっては、天板上の調理用加熱器から視線を大きく外す必要があった。
【０００４】
そこで、特許文献１においては、操作部は、天板裏面に設けられ、使用者の操作をうながす図柄表示を示す、非光透過性の導電膜で形成した導電表示部と、天板の下方に設けられ、図柄表示の投影形状よりも外周方向へ大なる導光板と、導光板外周に設けられた遮光部材と、導光板の一端に配置された発光部と、発光部が接続される制御回路部と、導電表示部の端部もしくは導電表示部の一部を導電膜で延長した部分に当接するとともに制御回路部に接続される、導電性の材料からなる接点端子と、を有し、導電表示部の少なくとも一部及び導光板の少なくとも一部が、フレーム部の上面に配置されるとともに、発光部及び接点端子と制御回路部とがコンロ本体の内部に設けられ、導光板の一端が発光部まで延びた形状とすることによって、操作性を向上したビルトインコンロが提案されている。
【０００５】
該ビルトインコンロにおいては、導光板、発光部、制御回路部、接点端子すべてを保持するホルダーを天板保持部に取り付け、該ホルダーは、コンロ本体内に位置するように設けられる構成となっている。
【０００６】
また、該ビルトインコンロは、天板に取り付けられた制御回路部と、コンロ本体に設けられた、調理用加熱器を制御する通電制御回路を有するメイン回路部とをリード線によって接続する構成となっている。
【先行技術文献】
【特許文献】
【０００７】
【特許文献１】特許第４８９３２０８号公報
【発明の概要】
【発明が解決しようとする課題】
【０００８】
天板上は調理用加熱器からの熱により高温となるため、操作部はなるべく天板の手前部分に配置することが好ましい。しかし、天板の手前部分の下にはキャビネットを構成する部材があり、これに操作部等を保持するホルダーが接触しないようにするために、ホルダーの取り付け位置をあまり天板の手前側にすることができなかった。また、導電表示部を天板上においてより手前側に配置しようとすると、発光部からの距離が遠くなってしまうことから、表示が暗くなってしまうためこれを解消するには、より強力な光源が必要となってしまう等の問題があった。
【０００９】
また、該ビルトインコンロは、天板をコンロ本体上の所定位置に設置するにあたり、まず、キャビネット内にコンロ本体を設置したあと、天板を取り付ける前に、制御回路部とメイン回路部とをリード線によって接続し、その後天板をコンロ本体に固定するといった作業となるため、リード線の接続作業自体が煩雑であり、その接続作業性を確保するためにもリード線はある程度の長さが必要である。そして、リード線がある程度の長さを有することから、天板をコンロ本体上の所定位置に設置したあとにおいては、コンロ本体の内部にはリード線を収容可能なスペースを確保しておく必要があった。
【００１０】
本発明は上記実情に鑑みてなされたものであって、天板の表面に操作部又は表示部の少なくともいずれかを備えるあたり、より手前側に配置することができるとともに、天板の設置作業が容易なビルトインコンロを提供することを目的とする。
【課題を解決するための手段】
【００１１】
上述の目的を達成するための、本発明に係るビルトインコンロの特徴構成は、キャビネットの天面に設けられた開口部に設置されるコンロ本体と、前記開口部を覆うように前記コンロ本体上に設置される天板とから構成されるビルトインコンロであって、前記天板の表面に、操作部又は表示部の少なくともいずれかが備えられ、前記天板の裏面に、少なくとも、前記操作部に入力された操作に対応する操作信号を前記コンロ本体に備えられた制御回路部に中継する、又は、前記表示部への表示に対応する表示信号を前記コンロ本体に備えられた制御回路部から中継する中継基板が備えられ、前記中継基板に天板側コネクタが備えられ、前記制御回路部に本体側コネクタが備えられ、前記天板側コネクタ及び前記本体側コネクタは、前記天板を前記コンロ本体上に設置することによって接続されるように構成されている点にある。
【００１２】
上述の構成によると、天板に操作部又は表示部の少なくともいずれかを備えるにあたり、これらの制御にかかる制御回路部はコンロ本体側に備え、天板には操作部からの制御信号を制御回路部に中継したり、表示部への表示信号を制御回路部に中継する中継基板を備える構成としたため、天板側に取り付けられる構造を薄型化できるため、キャビネットを構成する部材があったとしても、操作部や表示部を天板のより手前側に配置することができるようになった。
【００１３】
そして、天板をコンロ本体上に設置する作業に伴って、天板側コネクタと本体側コネクタとが接続されるように構成したことによって、従来のビルトインコンロのようなリード線による接続の場合に生じていた問題が解決できるようになった。
【００１４】
なお、操作部として押しボタン式のスイッチ群が例示でき、表示部として液晶ディスプレイが例示できる。さらに、操作部及び表示部として、操作部と表示部とが一体化した静電容量型、抵抗膜型、投影型、超音波型、赤外線型のタッチパネルが例示できる。
【００１５】
本発明においては、前記操作部は、前記天板の裏面に配置されるとともに前記中継基板に電気的に接続された導電膜を備えていると好適である。
【００１６】
上述の構成によると、操作部を静電容量型の操作スイッチとして構成することができるため、天板の裏面に大きなスペースを要することなく配置することができる。
【００１７】
本発明においては、前記天板は、少なくとも前記導電膜が配置されている部分が光透過性を有し、前記導電膜は、光透過性の部分と非光透過性の部分によって、操作に対応する記号を模すように構成され、前記導電膜の下方に、前記中継基板に電気的に接続された発光部が配置され、前記表示部は、前記発光部が発光したときに、前記導電膜及び前記天板のうち光透過性の部分を透過する光によって、前記操作に対応する記号を表示可能に構成されていると好適である。
【００１８】
上述の構成によると、操作部及び表示部を、静電容量型のタッチパネルとすることによって、天板の裏面に大きなスペースを要することなく配置することができる。発光部は、導電膜の下方に配置される導光板と、導光板の側面に配置された発光素子とを備えて構成することができる。なお、記号とは、操作内容を表示する文字、マーク、絵などの図形である。
【００１９】
本発明においては、前記天板側コネクタ及び前記本体側コネクタは、いずれか一方が固定的に備えられた被接触端子であり、いずれか他方が前記被接触端子に向けて弾性的に付勢された接触端子であると好適である。
【００２０】
上述の構成によると、天板をコンロ本体上に設置する作業に伴って、接触端子は弾性的に被接触端子へと付勢されて接触状態が維持されるため、天板側コネクタ及び本体側コネクタの接続が確実なものとなる。
【図面の簡単な説明】
【００２１】
【図１】本発明に係るビルトインコンロの斜視図である。
【図２】本発明に係るビルトインコンロの説明図である。
【図３】本発明に係るビルトインコンロの要部説明図である。
【図４】本発明に係るビルトインコンロの要部説明図である。
【発明を実施するための形態】
【００２２】
以下、本発明に係るビルトインコンロの実施形態を図面に基づいて説明する。図１には、本発明の実施形態に係るビルトインコンロ１０が示されている。
【００２３】
ビルトインコンロ１０は、システムキッチンのキャビネット１の天面に設けられた開口部２に設置されるコンロ本体１１と、開口部２を覆うようにコンロ本体１１上に設置される天板１２とから構成されている。
【００２４】
本実施形態においては、天板１２上の左右手前と中央奥に調理器具を加熱するための調理用加熱器の一例としての三口のガスコンロ１３が備えられ、天板１２の表面の手前側にガスコンロ１３の操作部及び表示部としての静電容量型のタッチパネル１４が備えられ、コンロ本体１１の前面中央にグリル１５が備えられている。
【００２５】
天板１２は、開口部２を覆う大きさの結晶化ガラス等の光透過性を有する材料から形成されている。天板１２の外周には、天板１２の外周を保護するために金属材料又は樹脂材料から形成された天板フレームが配置され、その下方に弾性材料から構成されたパッキンが備えられている。
【００２６】
コンロ本体１１は、金属材料から構成された筐体１１ａの内部にガスコンロ１３を構成するコンロバーナ１３ａが備えられている。コンロバーナ１３ａは、炎孔を有するバーナーキャップの部分が、天板１２の所定の位置に備えられた開口から、天板１２の上に突出するように配置され、その周囲に五徳１３ｂが配置される。
【００２７】
さらに、筐体１１ａの内部には、タッチパネル１４に入力された操作に対応する操作信号が入力されたり、タッチパネル１４への表示に対応する表示信号を出力する制御回路部２７が備えられている。制御回路部２７は、制御回路部２７に入力された操作信号に応じてガスコンロ１３の着火等の制御をするメイン回路部（図示せず）とリード線によって接続されている。なお、制御回路部２７及び前記メイン回路部は、それぞれマイコンから構成され、予めリード線によって接続された状態で、コンロ本体１１の内部に配置される。なお、少なくとも制御回路部２７は、筐体１１ａに支持された回路支持部２８の内部に収容されている。また、制御回路部２７に、本体側コネクタ２６ｂが鉛直上方に突設されている。
【００２８】
筐体１１ａの上部には外周へ延出した筐体支持部１１ｂが備えられ、該筐体支持部１１ｂが開口部２の周辺に支持されることによって、コンロ本体１１はキャビネット１の天面に吊設される。
【００２９】
図３に示すように、タッチパネル１４は、天板１２の裏面に非光透過性の導電膜２０が設けられている。導電膜２０は、光透過性の部分と非光透過性の部分によって、たとえば点火、火力等の各種操作に対応する記号を模すように構成されている。なお、記号とは、操作内容を表示する文字、マーク、絵などの図形である。
【００３０】
導電膜２０は、各記号ごと導光板２２によって覆われている。各導光板２２の端部には発光ダイオードから構成された発光素子２３が設けられている。発光素子２３の発光したときに、導電膜２０及び天板１２のうち光透過性の部分を透過する光によって、各操作に対応する記号が表示される。なお、導電膜２０の下方に配置される導光板２２と、導光板２２の側面に配置された発光素子２３とが本発明に係る発光部である。なお、導光板２２は、発光素子２３の発光のみによって表示部としての視認性が確保できるのであれば、必ずしも備えられていなくてもよい。このように、操作部及び表示部を、静電容量型のタッチパネル１４とすることによって、天板１２の裏面に大きなスペースを要することなく配置することができる。
【００３１】
導電膜２０、導光板２２及び発光素子２３の下方にはプリント基板２４が配置され、このプリント基板２４に導電膜２０の端部に設けられた接点に電気的に接続される接点端子２１や、発光素子２３が電気的に接続されている。
【００３２】
プリント基板２４は、基板支持部２５に収容される態様によって、天板１２の裏面に取り付けられている。プリント基板２４の下面には、天板側コネクタ２６ａが設けられており、天板側コネクタ２６ａは、基板支持部２５を貫通して鉛直下方に突設されている。
【００３３】
天板１２をコンロ本体１１上に設置するにあたり、天板１２をコンロ本体１１の上方の所定の位置に配置したときに、天板側コネクタ２６ａと本体側コネクタ２６ｂとが相対し、そのまま天板１２を鉛直下方に下ろすことによって、天板側コネクタ２６ａと本体側コネクタ２６ｂとが接続される。
【００３４】
天板側コネクタ２６ａ及び本体側コネクタ２６ｂは、天板１２をコンロ本体１１上に設置することによって接続されるスプリングコネクタ２６である。なお、本実施形態においては、本体側コネクタ２６ｂは制御回路部２７に固定的に備えられた被接触端子であり、天板側コネクタ２６ａはプリント基板２４に、被接触端子に向けて弾性的に付勢されて備えられた接触端子であるが、接触端子が制御回路部２７に備えられ、被接触端子がプリント基板２４に備えられてもよい。天板側コネクタ２６ａ及び本体側コネクタ２６ｂは、天板１２をコンロ本体１１上に設置すると、接触端子が弾性的に被接触端子へと付勢されて接触状態が維持されるため、天板側コネクタ２６ａ及び本体側コネクタ２６ｂの接続が確実なものとなる。
【００３５】
該プリント基板２４が、タッチパネル１４に入力された操作に対応する操作信号をコンロ本体１１に備えられた制御回路部２７に中継したり、タッチパネル１４への表示に対応する表示信号を制御回路部２７から中継する。したがって、該プリント基板２４が、本発明に係る中継基板である。
【００３６】
上述のように、天板１２にタッチパネル１４を備えるにあたって、これらの制御にかかる制御回路部２７は、コンロ本体１１側に備え、天板１２には、タッチパネル１４からの制御信号を制御回路部２７に中継したり、タッチパネル１４への表示信号を制御回路部２７に中継する中継基板としてのプリント基板を備える構成であるため、天板１２側に取り付けられる構造が薄型化でき、キャビネット１を構成する部材があったとしても、タッチパネル１４を天板１２のより手前側に配置することができる。
【００３７】
そして、天板１２をコンロ本体１１上に設置する作業に伴って、天板側コネクタ２６ａと本体側コネクタ２６ｂとが接続されるように構成されているため、従来のビルトインコンロのようなリード線による接続の場合に生じていた問題が解決できる。
【００３８】
上述した実施形態においては、三つのタッチパネル１４ごとに、プリント基板２４と、制御回路部２７と、これらをそれぞれ接続するスプリングコネクタ２６とが備えられていたが、これに限らない。三つのタッチパネル１４で一枚のプリント基板２４を備え、これに対応してコンロ本体１１側に一つの制御回路部２７を備えてもよい。この場合は、スプリングコネクタ２６は一箇所でよい。
【００３９】
上述した実施形態においては、天板側コネクタ２６ａ及び本体側コネクタ２６ｂは、スプリングコネクタ２６である場合について説明したが、これに限らない。天板側コネクタ２６ａ及び本体側コネクタ２６ｂは、プリント基板２４と制御回路部２７との電気的な接続ができる構成であればよい。したがって、雄型及び雌型からなる差込型コネクタから構成されてもよい。
【００４０】
上述した実施形態においては、操作部及び表示部として、操作部と表示部とが一体化した静電容量型のタッチパネルを例に説明したが、これに限らない。タッチパネルは、抵抗膜型、投影型、超音波型、赤外線型のタッチパネルであってもよい。なお、操作部及び表示部は、一体化されているものに限らない。たとえば、操作部として、押しボタン式のスイッチ群であってもよい。また、表示部として液晶ディスプレイであってもよい。さらに、天板１２に操作部及び表示部のいずれか一方のみが設けられている構成であってもよい。したがって、表示部としての液晶ディスプレイは、コンロ本体１１側に備えられ、天板１２を透過する態様によって、文字等を表示するように構成されてもよい。
【００４１】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００４２】
１        ：キャビネット
２        ：開口部
１０      ：ビルトインコンロ
１１      ：コンロ本体
１２      ：天板
１３      ：天板
１４      ：タッチパネル（操作部及び表示部）
２０      ：導電膜
２２      ：導光板（発光部）
２３      ：発光素子（発光部）
２４      ：プリント基板（中継基板）
２６ａ    ：天板側コネクタ
２６ｂ    ：本体側コネクタ
２７      ：制御回路部
【図１】
2018169086.tif 000003
【図２】
2018169086.tif 000004
【図３】
2018169086.tif 000005
【図４】
2018169086.tif 000006